(57)【特許請求の範囲】
【請求項１】
プレイヤのゲームへのログイン態様を管理するログイン管理部と、
前記ログイン態様が所定の条件を満たした場合に、有償アイテムの購入に関する所定の制限を解除する特典付与部と、を備え、
前記特典付与部は、
通常購入できない有償アイテムを購入可能とすること、購入可能回数に制限がある有償アイテムの購入可能回数を増大させること、及び、購入可能個数に制限がある有償アイテムの購入可能個数を増大させること、の少なくとも何れかを行うことを特徴とする、ゲームサーバ。
【請求項２】
前記所定の条件は、
前記プレイヤによるログイン態様の条件を満たす単位期間の合計が所定回数に到達すること、または前記条件を満たす単位期間が所定回数連続すること、
である、請求項１に記載のゲームサーバ。
【請求項３】
前記所定の条件は、
前記プレイヤによるログインが少なくとも１回以上あった日が所定日数以上連続することである、請求項１に記載のゲームサーバ。
【請求項４】
前記ログイン管理部は、前記特典付与部が前記所定の制限を解除した場合に、
前記プレイヤのログイン履歴の少なくとも一部をリセットすることを特徴とする、請求項１〜３のいずれかに記載のゲームサーバ。
【請求項５】
コンピュータに、
プレイヤのゲームへのログイン態様を管理するログイン管理処理と、
前記ログイン態様が所定の条件を満たした場合に、有償アイテムの購入に関する所定の制限を解除する特典付与処理と、を実行させ、
前記特典付与処理は、
通常購入できない有償アイテムを購入可能とすること、購入可能回数に制限がある有償アイテムの購入可能回数を増大させること、及び、購入可能個数に制限がある有償アイテムの購入可能個数を増大させること、の少なくとも何れかを含むことを特徴とする、ゲームプログラム。
【請求項６】
プレイヤのゲームへのログイン態様を管理するログイン管理ステップと、
前記ログイン態様が所定の条件を満たした場合に、有償アイテムの購入に関する所定の制限を解除する特典付与ステップと、
を有し、
前記特典付与ステップは、
通常購入できない有償アイテムを購入可能とすること、購入可能回数に制限がある有償アイテムの購入可能回数を増大させること、及び、購入可能個数に制限がある有償アイテムの購入可能個数を増大させること、の少なくとも何れかを含む、コンピュータによる情報処理方法。
【発明の詳細な説明】
【技術分野】
【０００１】
本発明はゲームサーバ、ゲームプログラム、情報処理方法に関する。
【背景技術】
【０００２】
従来より、スマートフォン等で提供されるゲームにあっては、プレイヤにゲームへの継続的なログインを促すための施策として、ログインすることによってプレイヤに特典を付与する仕組みが知られている。
【０００３】
特許文献１には、プレイヤ又はフレンドがゲームにログインすることによって所定の特典をプレイヤに付与するゲームシステムが開示されている。
【先行技術文献】
【特許文献】
【０００４】
【特許文献１】特許５０８０６７３号公報
【発明の概要】
【発明が解決しようとする課題】
【０００５】
上述した特許文献には、ログインの特典としてゲームを有利に進めることができるポイントやアイテムをプレイヤに付与するという一般的な記載がなされるのみである。
【０００６】
そこで、本発明は、ログインに関する特典付与として新規な仕組みを提供可能なゲームサーバ、ゲームプログラム、情報処理方法を提供することを一つの目的とする。
【課題を解決するための手段】
【０００７】
本発明によれば、プレイヤのゲームへのログイン態様を管理するログイン管理部と、前記ログイン態様が所定の条件を満たした場合に、有償アイテムの購入に関する所定の制限を解除する特典付与部と、を備えることを特徴とする、ゲームサーバ、ゲームプログラム、情報処理方法が得られる。
【発明の効果】
【０００８】
本発明によれば、ログインに関する特典付与として新規な仕組みを提供可能なゲームサーバ、ゲームプログラム、情報処理方法を提供することができる。
【図面の簡単な説明】
【０００９】
【図１】本発明の実施の形態によるシステムの構成例を示す図である。
【図２】本発明の実施の形態によるサーバ装置１の構成例を示す図である。
【図３】本発明の実施の形態によるプレイヤ端末２の構成例を示す図である。
【図４】本発明の実施の形態によるプレイヤ端末２画面の構成例を示す図である。
【図５】本発明の実施の形態によるプレイヤ端末２画面の構成例を示す図である。
【図６】本発明の実施の形態によるプレイヤ端末２画面の構成例を示す図である。
【図７】本発明の実施の形態によるプレイヤ端末２画面の構成例を示す図である。
【図８】本発明の実施の形態による処理フローの一例を示す図である。
【発明を実施するための形態】
【００１０】
本発明の実施形態の内容を列記して説明する。本発明は、以下のような構成を備える。
［項目１］
プレイヤのゲームへのログイン態様を管理するログイン管理部と、
前記ログイン態様が所定の条件を満たした場合に、有償アイテムの購入に関する所定の制限を解除する特典付与部と、
を備えることを特徴とする、ゲームサーバ。
［項目２］
前記所定の条件は、
前記プレイヤによるログイン態様の条件を満たす単位期間の合計が所定回数に到達すること、または前記条件を満たす単位期間が所定回数連続すること、
である、項目１に記載のゲームサーバ。
［項目３］
前記所定の条件は、
前記プレイヤによるログインが少なくとも１回以上あった日が所定日数以上連続することである、項目１に記載のゲームサーバ。
［項目４］
前記特典付与部は、
有償アイテムを通常よりも安い価格で購入可能とすることを特徴とする、項目１〜３のいずれかに記載のゲームサーバ。
［項目５］
前記ログイン管理部は、前記特典付与部が前記所定の特典を付与した場合に、
前記プレイヤのログイン履歴の少なくとも一部をリセットすることを特徴とする、項目１〜４のいずれかに記載のゲームサーバ。
［項目６］
コンピュータに、
プレイヤのゲームへのログイン態様を管理するログイン管理処理と、
前記ログイン態様が所定の条件を満たした場合に、有償アイテムの購入に関する所定の制限を解除する特典付与処理と、
を実行させることを特徴とする、ゲームプログラム。
［項目７］
プレイヤのゲームへのログイン態様を管理するログイン管理ステップと、
前記ログイン態様が所定の条件を満たした場合に、有償アイテムの購入に関する所定の制限を解除する特典付与ステップと、
を有するコンピュータによる情報処理方法。
【００１１】
以下、本発明の実施の形態について、図面を参照しながら説明する。
【００１２】
＜構成＞
図１に示されるように、本ゲームシステムは、ネットワーク３（例えば、インターネット等）を介してゲームに関する各種サービスをプレイヤに提供するものであり、サーバ装置１（ゲームサーバ）と複数のプレイヤ端末２とで構成される。
【００１３】
＜サーバ装置１の構成＞
図２は、サーバ装置１の機能上の構成を示すブロック図である。サーバ装置１は、システム管理者等が各種サービスを運営・管理する際に利用する情報処理装置（コンピュータ）であり、例えば、ワークステーションやパーソナルコンピュータのような汎用コンピュータとしてもよいし、或いはクラウド・コンピューティング技術によって論理的に実現されてもよい。
【００１４】
サーバ装置１は、制御部１１、記憶部１２、入力部１３、表示部１４、通信部１５を有する。サーバ装置１は、通信部１５を介してプレイヤ端末２から各種のコマンド（リクエスト）を受信すると、制御部１１においてゲームプログラムによる処理を実行し、ゲームプログラムの処理結果（例えば、ゲーム画像やゲーム音声等）がプレイヤ端末２へ送信される。なお、上記ゲームプログラムの一部は、プレイヤ端末２に送信されてプレイヤ端末２上で実行されてもよい。
【００１５】
制御部１１は、各部間のデータの受け渡しを行うとともに、サーバ装置１全体の制御を行うものであり、ＣＰＵ（Ｃｅｎｔｒａｌ  Ｐｒｏｃｅｓｓｉｎｇ  Ｕｎｉｔ）が所定のメモリに格納されたプログラムを実行することによって実現される。本実施の形態の制御部１１は、少なくともゲーム実行部１１１、画面データ生成部１１２、ログイン管理部１１３、特典付与部１１４、通知部１１５を備える。なお、これらの各種機能部については追って詳述する。
【００１６】
記憶部１２は、システムプログラムが記憶された読取専用の記憶領域であるＲＯＭ（Ｒｅａｄ  Ｏｎｌｙ  Ｍｅｍｏｒｙ）と、制御部１１による演算処理のワーク領域として使用される書き換え可能な記憶領域であるＲＡＭ（Ｒａｎｄｏｍ  Ａｃｃｅｓｓ  Ｍｅｍｏｒｙ）とを有しており、例えば、フラッシュメモリやハードディスクなどの不揮発性記憶装置によって実現される。本実施形態における記憶部１２は、ゲーム情報記憶部１２１、プレイヤ情報記憶部１２２、ログイン情報記憶部１２３等の各種記憶部を有している。なお、これらの各種情報については追って詳述する。
【００１７】
入力部１３はシステム管理者がゲームサービスに関する各種データ（例えば、ゲーム情報等）を入力するためのものであり、例えばキーボードやマウス等によって実現される。
【００１８】
表示部１４は、制御部１１からの指令に基づいてシステム管理者用の操作画面を表示するためのものであり、例えば、液晶ディスプレイ（ＬＣＤ：Ｌｉｑｕｉｄ  Ｃｒｙｓｔａｌ  Ｄｉｓｐｌａｙ）等によって実現される。
【００１９】
通信部１５は、プレイヤ端末２との間で通信を行うためのものであり、プレイヤ端末２から送信される各種データや信号を受信する受信部としての機能と、制御部１１の指令に応じて各種データや信号をプレイヤ端末２へ送信する送信部としての機能を有している。通信部１５は、例えばＨＴＴＰ（ＨｙｐｅｒＴｅｘｔ  Ｔｒａｎｓｆｅｒ  Ｐｒｏｔｏｃｏｌ）やＨＴＴＰＳ、ＷｅｂＳｏｃｋｅｔ、Ｐ２Ｐ（Ｐｅｅｒ  Ｔｏ  Ｐｅｅｒ）等によりプレイヤ端末２との通信を行う。
【００２０】
＜プレイヤ端末２＞
図３は、プレイヤ端末２の機能上の構成を表すブロック図である。プレイヤ端末２は、プレイヤが所持し利用することができる情報処理装置（例えば、スマートフォン、携帯電話端末、タブレット端末）である。プレイヤ端末２は、サーバ装置１から送信されたゲームプログラムの処理結果をゲームアプリケーションまたはＷｅｂブラウザを介して出力（例えば、ゲーム画面表示、ゲーム音声出力等）することができる。プレイヤ端末２は、プレイヤ端末２全体の制御を行う制御部２１と、各種データ・プログラムを記憶する記憶部２２と、プレイヤが操作入力を行うための入力部２３、ゲーム画面・操作画面等を出力する出力部２４、サーバ装置１との間で情報通信を行う通信部２５を有している。本実施の形態の制御部２１は、少なくとも操作情報受付部２１１、ゲーム動作部２１２を備える。また、記憶部２２は、少なくともゲーム動作情報記憶部２２１を備える。制御部２１の各機能部は、メモリやゲーム動作情報記憶部２２１に格納されているプログラムをＣＰＵが実行することにより実現することができる。
【００２１】
プレイヤ端末２の操作情報受付部２１１は、プレイヤからゲームに関する操作を受け付ける。操作情報受付部２１１は、プレイヤによる入力部２３を用いたゲームに関する操作を受け付ける。そして、操作情報受付部２１１は、受け付けた操作内容をゲーム動作部２１２に出力する。
【００２２】
ゲーム動作部２１２は、ゲームを動作させるための処理を実行する。ゲーム動作部２１２は、ゲーム動作情報記憶部２２１に記憶されたゲーム動作情報に含まれるゲームソフトウェアと、入力部２３から入力されたプレイヤの操作内容とに基づいてゲームを動作させる。ゲーム動作部２１２は、ゲームの動作に伴い、ゲーム動作情報に含まれる画像データからゲーム用の画像を生成し、生成した画像を出力部２４に出力させるための制御処理を行う。同様にして、ゲーム動作部２１２は、ゲームの動作に伴い、ゲーム動作情報に含まれる音楽データや音声データからゲーム用の音楽や音声を生成し、生成した音楽や音声を出力部２４から出力させるための制御処理を行う。なお、ここでは、ネイティブアプリがＷｅｂアプリの機能を一部実行する、すなわち、プレイヤ端末２のゲーム動作部２１２がサーバ装置１の機能を一部実行する構成について説明したが、ゲーム動作部２１２を有さずにサーバ装置１が処理結果として全てのゲーム用画像、音声を生成するように構成されていてもよいし、ゲーム動作部２１２によって全てのゲーム用画像、音声を生成するように構成されていてもよい。
【００２３】
ゲーム動作部２１２を有する場合、ゲーム動作部２１２が動作させるゲームにおける所定のパラメータはサーバ装置１にて管理されることができる。例えば、ゲームにおけるスタミナや、有償ポイントといったパラメータが、サーバ装置１にて管理される。そのため、ゲーム動作部２１２は、ゲームにおいてこれらの所定のパラメータの変化が伴う処理が発生する場合には、サーバ装置１との通信を行うことにより、サーバ装置１が管理するパラメータを更新させる。そして、ゲーム動作部２１２は、更新後のパラメータをサーバ装置１から受信し、この更新後のパラメータに基づいてゲームの動作を継続する。
【００２４】
本実施形態におけるゲームシステムは、プレイヤ端末２からのサーバ装置１へのログインの有無を管理し、条件を満たした場合にプレイヤに所定の特典を付与する仕組みに関する。一般的に、スマートフォン等で提供されるゲームでは、キャラクタの抽選などを実行するために必要なゲーム内通貨や、スタミナ回復等のための各種有償アイテムを、現実世界の通貨等による購入手続き（現金や電子マネーの支払い、クレジットカード決済等）によってプレイヤが取得することができる。有償で購入したゲーム内通貨は有償石、ストーンやコイン、ジェムなどと呼ばれることがある。本明細書においては、有償で購入するゲーム内通貨やアイテムを指す言葉として「有償アイテム」と記載する。
【００２５】
本実施形態におけるゲームシステムは、プレイヤのログインを促す施策として、ログイン態様に応じて、上記有償アイテムの購入に関する所定の制限を解除する特典を付与することを特徴とする。典型的には、所定期間での合計ログイン日数または連続でログインした日数が所定の条件を満たした場合に、有償アイテムを通常よりも安価に購入可能としたり、通常は購入できないアイテムを購入可能としたり、アイテムを購入可能な回数を増やしたり、購入可能なアイテムの個数を増やしたりすることで、プレイヤにログインを促す。
【００２６】
サーバ装置１のゲーム情報記憶部１２１は、ゲームに関する情報を記憶する。ゲーム情報は、ゲームの種類に応じて適宜構成される。例えば対戦ゲームである場合は、ステージＩＤに紐づけて、ステージ名、敵キャラクタ情報等を含む。
【００２７】
プレイヤ情報記憶部１２２は、プレイヤに関する情報を記憶する。プレイヤ情報には、プレイヤＩＤに紐づけて、プレイヤ名、所有キャラクタ情報、プレイステージ情報、所有アイテム情報等を含むことができる。所有キャラクタ情報は、所有キャラクタのＩＤに対応付けて、レベル、攻撃力、防御力、体力などの各種パラメータの現在値を含むことができる。プレイステージ情報は、設定された複数のステージのうち、プレイヤがこれまでにプレイしたことのあるステージに関する情報であり、プレイ回数、クリア情報等を含むことができる。所有アイテム情報は、1つ以上の有償アイテム、無償アイテムの保有状況に関する情報を含み、各所有アイテムのＩＤに対応付けて、保有数などの情報を含むことができる。その他、プレイヤ及びゲームのプレイ状況に関する情報を含むことができる。
【００２８】
ログイン情報記憶部１２３は、プレイヤのサーバ装置へのログインの態様に関する情報を記憶する。プレイヤは、プレイヤ端末２を介してサーバにアクセスし、所定のユーザ認証処理を受けることによってログインする。ログイン情報記憶部１２３は、ログインの態様に関するログイン情報として、プレイヤＩＤに紐づけて、ログイン日時や、単位期間におけるログインの有無を示す情報を記憶する。また、ログイン情報として、連続でのログイン日数や、所定期間におけるログイン回数の合計値、頻度、所定期間におけるログイン時間（ログインしてからログアウトするまでの時間）などに関する情報を記憶することとしてもよい。例えば、現実世界における１日を単位期間としてもよく、その場合、本日、１日前、２日前、３日前、・・・ｎ日前の各日についてのサーバ装置１へのログインの有無などを示す情報を記憶することができる。
【００２９】
サーバ装置１のゲーム実行部１１１は、ゲームプログラムに従ってゲームを進行させる処理を実行する機能を有している。本実施形態におけるゲームシステムによるゲームは、任意の種類のゲームであってよく、例えば対戦ゲーム、パズルゲーム、アクションゲーム、野球ゲーム、サッカーゲーム、その他スポーツゲーム、クイズゲーム、ピンボールゲーム、カードゲーム、リズムゲーム、ＲＰＧ、アドベンチャーゲーム、カジノゲーム、シミュレーションゲーム、ストラテジーゲーム、ボードゲーム、レーシングゲームなどであってよい。
【００３０】
画面データ生成部１１２は、ゲーム画面をプレイヤ端末２に表示させるための画面データを生成する処理を実行する機能を有している。画面データ生成部１１２は、上記の任意のゲームに関する画面データを生成する。生成された画面データは、プレイヤ端末２に送信されて、出力部２４により出力される。
【００３１】
ログイン管理部１１３は、プレイヤによるサーバ装置１へのログインがあった場合に、当該ログインに関する情報に基づいてログイン情報記憶部１２３の情報を更新する処理を行う。
【００３２】
特典付与部１１４は、プレイヤのログイン態様が所定の条件を満たす場合に、有償アイテムの購入に関する所定の制限を解除するという特典をプレイヤに付与する。所定の条件とは例えば、プレイヤによるログイン態様の条件を満たす単位期間の合計が所定回数に到達すること、または前記条件を満たす単位期間が所定回数連続すること、であってもよい。例えば、所定期間（1カ月等）においてログインが少なくとも１回以上あった単位期間（1日等）の合計が所定回数以上であること、または、単位期間中にログインがあった期間が連続して所定数以上あること（単位期間が現実世界の１日である場合、プレイヤによるログインが少なくとも１回以上あった日が所定日数以上連続すること）、所定期間におけるログイン回数の累計が所定回数以上であること、所定期間におけるログイン時間の累計が所定時間以上であること、及びこれらの組み合わせなどであってよく、任意の条件を設定することができる。プレイヤによるログイン態様の条件を満たす単位期間の合計が所定回数に到達すること、または前記条件を満たす単位期間が所定回数連続すること
【００３３】
上記特典付与の条件は全プレイヤに共通して設定してもよいし、プレイヤごとに変更してもよい。例えば、プレイヤのレベル、所有キャラクタ、所有アイテム、課金額、総プレイ時間など種々の指標に基づいてプレイヤごとに設定してもよい。一例として、単位期間中にログインがあった期間が連続して所定数以上続くこと、という条件において、プレイヤの上記指標によって必要な連続数を変更してもよい。例えばこれまでの総課金額や総プレイ時間が多いヘビーユーザに対して、必要な連続数を少なく設定してもよい。また、逆に必要な連続数を多く設定してもよい。
【００３４】
また、特典付与の条件を満たすことを支援するアイテムを設定してもよい。例えば、連続して所定日数以上のログインをしなければならない、という条件において、ログインできなかった日があった場合に使用することで、その日にログインをしたとみなすことができるアイテム等を使用可能としてもよい。このようなアイテムは有償で購入可能としてもよいし、クエストを達成する等ゲーム上の所定の条件をクリアすることによって無償で付与されるものであってもよい。
【００３５】
特典は、有償アイテムの購入に関する所定の制限を解除するものであれば特に制限はない。特に、特典として所定の有償アイテムを有利な条件で購入可能とすることや、通常購入できない有償アイテムを購入可能とすること、購入可能回数に制限がある有償アイテムの購入可能回数を増大させること、または購入可能個数に制限がある有償アイテムの購入可能回数を増大させること、あるいはそれらの制限解除を可能にするアイテムの付与などを含む。特典付与部１１４は、プレイヤのログイン態様が所定の条件を満たす場合に、特典として有償アイテムの購入画面において特定のアイテムを購入可能な状態にしてもよいし、購入可能回数を増大させてもよいし、購入可能個数を増大させてもよい。
【００３６】
また、ログイン管理部１１３は、プレイヤのログイン態様が所定の条件を満たしたことによって特典付与部１１４による特典の付与が完了した場合に、当該プレイヤのログイン履歴の少なくとも一部をリセットすることができる。例えば、1カ月等の所定期間でのログインのあった日（単位期間）の合計が所定日数に達すること、を特典付与の条件としている場合、所定期間のログイン日数のカウントをリセットして０とすることができる。あるいは、ログインのあった日が連続して所定日数以上続くこと、を特典付与の条件としている場合、連続ログイン日数のカウントをリセットして０とすることができる。また、その他特典の付与条件に応じて、ログインに関する情報をリセットすることができる。特定の有償アイテムの購入制限を解除して購入を可能とする特典を付与する場合、当該プレイヤについて当該有償アイテムの購入を可能とした時点でログイン履歴情報をリセットしてもよいし、プレイヤが当該有償アイテムを購入した場合にリセットすることとしてもよい。また、1月〜１２月の各月の最終日が終了した時点でリセットしてもよい。
【００３７】
通知部１１５は、ログイン態様や特典付与に関する各種の通知をプレイヤ端末２に送信する。一例として、特典付与が受けられる条件に関する情報、特典付与の条件の達成状況、現在の連続ログイン回数、所定期間におけるログイン回数、所定期間におけるログイン時間に関する情報をプレイヤ端末２に提示することができる。
【００３８】
以下、本実施の形態の具体例を説明する。本具体例においては、特典付与の条件を「２０日連続でログインすること」とし、特典として、「有償石５０個を５，０００円で購入可能とすること」、とする（通常の価格の半額とする）。
【００３９】
図４は、プレイヤ端末２の画面構成例を示す図である。本実施の形態における特典は、特に特定の有償アイテムの購入の制限を解除するものに関し、例えば通常の価格よりも低い価格に設定された所定の有償アイテムの購入制限を解除する（つまり購入可能とする）ことを含む。図４は、有償アイテムの購入画面（ショップ）を示している。購入画面には、１つ以上の有償アイテムが選択可能に表示されており、例えば表示部４２は通常の価格での有償アイテム（例えば有償石、回復剤）の価格情報を示している。そして、表示部４０は、本発明の実施の形態において、プレイヤがログインに関する所定の条件を満たした場合に付与される特典により、所定の有償アイテムが通常よりも安い価格で購入可能であることを示している。プレイヤは、購入ボタン４１を選択入力することにより、所定金額の支払処理を実行することができ、これにより、当該有償アイテムがプレイヤに付与されることとなる。
【００４０】
図５は、特典付与に関する所定の条件を満たしていないときのプレイヤ端末２の画面表示例である。図４と同じく有償アイテムの購入画面（ショップ）であるが、図４において通常よりも安い価格で購入可能な有償アイテムの購入は制限されており、購入できないようになっている（表示部４１）。また、当該お得な有償アイテムの購入が可能となる条件（「解禁まであと２０日ログインしよう」など）に関する情報を表示することができる。プレイヤのログイン態様が所定の条件を満たしていない場合に、必ずしも図５のような画面表示をする必要はなく、当該特典による購入表示４０自体を表示しないこととし、特典が付与されたときにのみ表示することとしてもよい。
【００４１】
図６は、ログイン時のプレイヤ端末２の画面表示例である。本実施の形態において、プレイヤがログインした際に、特典付与の条件に関する情報（特典付与までの必要ログイン日数や、現在の連続ログイン日数または１カ月での合計ログイン日数など）を表示することができる。すなわち、図６では、一例として、現在１５日連続でログインしていること、及び特典付与の条件を満たすためにはあと５日連続でログインする必要があること、を示す情報を表示している。また、特典付与の条件の達成状況を表示部４３のように図示してもよい。
【００４２】
図７は、プレイヤ端末２の画面表示例であり、特にログイン態様が特典付与の条件を満たした場合の表示例である。特典付与が受けられる旨の情報とともに、特典付与を受けられる画面への遷移を可能とするボタン等を表示することができる。図７では例えば、特典として所定の有償アイテムが購入可能となるので、購入画面（ショップ画面）へ遷移するためのボタン４４を表示する。プレイヤは、ボタン４４を選択入力することによって、例えば図４のような購入画面に遷移し、特典として購入可能となった有償アイテムを購入可能である。当該画面遷移は一例であり、ログイン時の画面において付与された特典を取得可能としてもよい。
【００４３】
図８は、本実施形態におけるシステムの基本動作例を説明するフロー図である。プレイヤはプレイヤ端末２を介してサーバ装置１にアクセスし、ログインをする（Ｓ１０１）。サーバ装置１は、必要に応じてプレイヤの認証を行い、ログインを許可する。ログイン管理部１１３は、ログイン管理ステップにおいて、ログイン管理処理を行う。例えば、ログイン管理部１１３は、ログイン情報記憶部１２３にプレイヤに紐づけて登録されたログイン情報を更新する（Ｓ１０２）。ログイン管理部１１３は、ログイン態様が特典の付与に関する所定の条件を満たすか否かを判定する（Ｓ１０３）。例えば、所定単位期間におけるログインの有無に基づいて連続ログイン回数を算出し、連続ログイン回数が所定値以上であるかを判定する。条件を満たさない場合（Ｓ１０３＝Ｎｏ）、図６のような特典付与条件の達成状況などに関する情報をプレイヤ端末２に表示することができる。
【００４４】
ログイン管理部１１３が、ログイン態様が所定の条件を満たしたと判定した場合（Ｓ１０３＝Ｙｅｓ）、特典付与部１１４は、特典付与ステップにおいて、所定の特典を付与する特典付与処理を行う（Ｓ１０４）。一例として、特定の有償アイテムを有利な条件で購入可能とし、図４のような有償アイテムの購入画面において特典に係る有償アイテムの購入制限を解除して購入ボタン４１を有効とする。また、図７のように所定の特典が付与された旨の情報をプレイヤ端末２に表示する（Ｓ１０５）。プレイヤから当該有償アイテムの購入要求があった場合（Ｓ１０６）、サーバ装置１は、課金処理を行うとともに（Ｓ１０７）、当該有償アイテムをプレイヤに付与する処理を行うことで、購入を完了する（Ｓ１０８）。
【００４５】
さらに、ログイン管理部１１３は、特典の付与が完了した場合、特典付与の条件に係るログイン情報をリセットすることとしてもよい（Ｓ１０９）。すなわち、特典付与の条件が連続ログイン回数である場合、特典付与時点での連続ログイン回数をリセットし、連続ログイン回数を０とするようにログイン情報を更新する。そのほか、特典付与の条件が所定期間におけるログイン回数やログイン時間であった場合は、それらの数値をリセットするようログイン情報を更新することができる。そして、図５のように、再び特典に係る有償アイテムの購入を制限し、購入ボタン４１を無効とする。プレイヤは、また最初からログインに関する条件を満たすことによって、再度特典に係る有償アイテムを購入することができるようにしてもよい。
【００４６】
以上説明した実施形態及び変形例において、サーバ装置１及びプレイヤ端末２が備えるソフトウェア機能部の処理について、本発明の趣旨を実現できる範囲で、サーバ装置１の一部若しくはすべての機能をプレイヤ端末２が備えてもよい。
【００４７】
また、図８の処理は、本実施形態の情報処理システムによる処理の一例を示したものであり、本願発明を限定する意図ではない。図８の処理に含まれる各工程は、図中に示される順序と異なる順序で実行するようにしてもよいし、一部の処理を並列に実行するよういしてもよいし、一部の工程を省略するようにしてもよいし、他の工程を追加してもよい。
【００４８】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００４９】
１        サーバ装置（ゲームサーバ）
２        プレイヤ端末
３        ネットワーク
【要約】      （修正有）【課題】ログインに関する特典付与として新規な仕組みを提供可能なゲームシステムを提供する。【解決手段】プレイヤのゲームへのログイン態様を管理するログイン管理部と、前記ログイン態様が所定の条件を満たした場合に、有償アイテムの購入に関する所定の制限を解除する特典付与部と、を備えることを特徴とするゲームサーバを提供することで、プレイヤがゲームにログインするモチベーションを向上させる。【選択図】図８【図１】
0006953599.tif 000002
【図２】
0006953599.tif 000003
【図３】
0006953599.tif 000004
【図４】
0006953599.tif 000005
【図５】
0006953599.tif 000006
【図６】
0006953599.tif 000007
【図７】
0006953599.tif 000008
【図８】
0006953599.tif 000009